(57)【要約】【課題】温熱機能と脊椎治療機能を同時に具現することができる脊椎治療機が内蔵された温熱マットを提供する。【解決手段】人の脊椎の長手方向に沿ってローラーが走行しながら前記脊椎を指圧するための脊椎治療機モジュール部と、前記脊椎治療機モジュール部の上部に取り付けられ、一側に切開ホールが長手方向に形成され、前記切開ホールの一側に貫通孔を備えるマット部と、前記マット部の上部に取り付けられ、電源を受けて発熱するための発熱板部と、前記発熱板部の上部に取り付けられ、前記脊椎治療機モジュール部、前記マット部及び前記発熱板部の外部を取り囲むためのカバー部と、前記脊椎治療機モジュール部を制御するための制御部とを含む。【選択図】図１
2020116250.tif 000002
【特許請求の範囲】
【請求項１】
人の脊椎の長手方向に沿ってローラーが走行しながら前記脊椎を指圧するための脊椎治療機モジュール部と、
前記脊椎治療機モジュール部の上部に取り付けられ、一側に切開ホールが長手方向に形成され、前記切開ホールの一側に貫通孔を備えるマット部と、
前記マット部の上部に取り付けられ、電源を受けて発熱するための発熱板部と、
前記発熱板部の上部に取り付けられ、前記脊椎治療機モジュール部、前記マット部及び前記発熱板部の外部を取り囲むためのカバー部と、
前記脊椎治療機モジュール部を制御するための制御部と、を含む、脊椎治療機が内蔵された温熱マット。
【請求項２】
前記脊椎治療機モジュール部は、
ベース部材と、
前記ベース部材に取り付けられ、電源を受けて駆動するための駆動部材と、
一側が前記駆動部材に取り付けられ、前記駆動部材の駆動によって回転する回転棒部材と、
前記回転棒部材の他側に結合され、前記回転棒部材に沿って走行しながら脊椎を指圧するための指圧部材と、
前記回転棒部材の両側にそれぞれ取り付けられ、前記指圧部材が走行するときに前記指圧部材の両側を支持するための二つのレール部材と、を含むことを特徴とする、請求項１に記載の脊椎治療機が内蔵された温熱マット。
【請求項３】
前記駆動部材は、
前記ベース部材の一側に取り付けられ、電源を受けて前記回転棒部材を回転させるためのモーターと、
前記モーターの外部を取り囲むように取り付けられ、前記モーターを外部から保護するためのモーターカバーと、を含むことを特徴とする、請求項２に記載の脊椎治療機が内蔵された温熱マット。
【請求項４】
前記指圧部材は、
前記回転棒部材の他側に取り付けられ、前記駆動部材の駆動によって前記回転棒部材に沿って走行するための走行ナットを備える走行手段と、
一側が前記走行手段に取り付けられるローラー支持部と、
前記走行手段と前記ローラー支持部に結合され、前記走行手段に対して前記ローラー支持部を回動させるための回動手段と、
前記ローラー支持部の両側に取り付けられ、前記レール部材の上面に沿って走行するための走行ローラーと、
前記ローラー支持部の他側に取り付けられ、前記走行手段の走行によって脊椎を指圧するための指圧ローラーと、を含むことを特徴とする、請求項２に記載の脊椎治療機が内蔵された温熱マット。
【請求項５】
前記指圧部材は、
前記走行手段の内部に取り付けられ、前記指圧部材が走行するときに前記指圧ローラーが左右方向に傾くことを防止するための少なくとも一つの水平ベアリングと、
前記水平ベアリングの側部に取り付けられ、前記指圧部材が走行するときに一緒に走行するための少なくとも一つの垂直ベアリングと、をさらに含むことを特徴とする、請求項４に記載の脊椎治療機が内蔵された温熱マット。
【請求項６】
前記走行ローラーは、外周面にライン溝が形成され、前記ライン溝がレール部材に沿って走行し、前記ローラー支持部が回動するときに前記ローラー支持部の両側をもっと支持することを特徴とする、請求項４に記載の脊椎治療機が内蔵された温熱マット。
【請求項７】
前記制御部は、前記指圧部材の走行可否及び前記発熱板部の発熱温度及び時間を制御することを特徴とする、請求項２に記載の脊椎治療機が内蔵された温熱マット。
【請求項８】
前記レール部材は、人体の曲線形態に対応するように形成されることを特徴とする、請求項２に記載の脊椎治療機が内蔵された温熱マット。
【発明の詳細な説明】
【技術分野】
【０００１】
本発明は脊椎治療機が内蔵された温熱マットに関し、より詳しくは温熱マットの内部に脊椎治療機を組み込み、温熱機能と脊椎治療機能を同時に具現することができる脊椎治療機が内蔵された温熱マットに関する。
【背景技術】
【０００２】
一般に、繰り返される日常生活で長時間の間に椅子にかけた状態で非活動的に挙動によって偏った姿勢で生活するか業務を遂行しなければならない人の場合、ひんぱんな疲労と慢性疲労、首の痛症、肩凝り、腰痛、座骨神経痛、脊椎側弯症、頸椎椎間板ヘルニア、腰椎椎間板ヘルニアなどの脊椎変位、脊椎疾患又は痛症による健康上の障害と日常生活上の不便と苦痛を経験する場合が多い。
【０００３】
また、一般に、頸椎椎間板ヘルニア又は腰椎椎間板ヘルニアのような脊椎疾患と痛症が発病した場合、病院、物理治療室又は漢方医院を尋ねて物理治療を受けなければならなかった。病院の物理治療室で実施する物理治療は脊椎疾患と痛症を引き起こす脊椎変位部位に対してホットパック（Ｈｏｔ  Ｐａｃｋ）を用いて温熱治療を行うか低周波電気刺激治療を行うことが一般的であり、漢方医院の場合、鍼又は灸治療を追加して実施することが一般的である。しかし、このようなそれぞれの物理治療器具又は装置は使用方法及び手順に従ってそれぞれ操作して別に使わなければならないため、操作上又は利用上の不便さを伴って使用者に大きな経済的負担及び時間的な負担を要求していることが事実である。
【０００４】
このように、病院又は漢方医院に行くことが煩わしいとか時間的余裕がないときには家庭で自己療法としてパズを購入して使うか、家庭で水を沸して熱いタオルを作るか、あるいはホットパック（Ｈｏｔ  Ｐａｃｋ）で温熱治療を行い、既存の低周波治療機と遠赤外線治療機をそれぞれ別に購入して使うことが一般的である。
【０００５】
しかし、このような温熱治療のために、家庭で水を沸して熱いタオルを作るかホットパック（Ｈｏｔ  Ｐａｃｋ）を使うとやけどをするなどの危険と不便さが伴い、既存の低周波治療機と遠赤外線治療機をそれぞれ別に購入して使用する場合には経済的負担が伴う。
【０００６】
また、それぞれの物理治療器具又は装置を使用方法及び手順に従ってそれぞれ操作して別に使わなければならない操作上及び利用上の煩わしさと不便さを甘受しなければならない問題点がある。
【０００７】
これに関連して、本発明に係る“脊椎治療機が内蔵された温熱マット”技術分野の従来技術には“温熱マット”、“温熱玉マット”、“枕を備えた温熱マット”などがある。しかし、頸椎椎間板ヘルニア又は腰椎椎間板ヘルニアのような脊椎疾患を予防するか治療するにあたり、頸椎椎間板ヘルニア又は腰椎椎間板ヘルニアなどの脊椎疾患を経験している使用者が既存の温熱マットに横になった状態となれば、使用者の腰（腰推）又は首（頚椎）、脊椎を正常なＳ字形に屈曲して安定に維持することができない。したがって、枕などの別途の器具を使わなければならなく、枕を首（頚椎）に使う場合には、首（頚椎）が一字形首になって脊椎疾患をむしろ悪化させることがある問題点があった。
【先行技術文献】
【特許文献】
【０００８】
【特許文献１】大韓民国特許登録第１０−１３２８３１６号明細書
【特許文献２】大韓民国特許公開第１０−２００５−００１０１２８号明細書
【発明の概要】
【発明が解決しようとする課題】
【０００９】
したがって、本発明は前記のような問題点を解決するために案出されたもので、本発明が解決しようとする課題は、温熱マットの内部に脊椎治療機を組み込み、温熱機能と脊椎治療機能を同時に具現することができる脊椎治療機が内蔵された温熱マットを提供することである。
【００１０】
ただ、本発明で達成しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【００１１】
前記の技術的課題を達成するための手段として、人の脊椎の長手方向に沿ってローラーが走行しながら前記脊椎を指圧するための脊椎治療機モジュール部と、前記脊椎治療機モジュール部の上部に取り付けられ、一側に切開ホールが長手方向に形成され、前記切開ホールの一側に貫通孔を備えるマット部と、前記マット部の上部に取り付けられ、電源を受けて発熱するための発熱板部と、前記発熱板部の上部に取り付けられ、前記脊椎治療機モジュール部、前記マット部及び前記発熱板部の外部を取り囲むためのカバー部と、前記脊椎治療機モジュール部を制御するための制御部と、を含む、脊椎治療機が内蔵された温熱マットを提供する。
【００１２】
また、一実施例において、前記脊椎治療機モジュール部は、ベース部材と、前記ベース部材に取り付けられ、電源を受けて駆動するための駆動部材と、一側が前記駆動部材に取り付けられ、前記駆動部の駆動によって回転する回転棒部材と、前記回転棒部材の他側に結合され、前記回転棒部材に沿って走行しながら脊椎を指圧するための指圧部材と、前記回転棒部材の両側にそれぞれ取り付けられ、前記指圧部材が走行するときに前記指圧部材の両側を支持するための二つのレール部材と、を含むことを特徴とする。
【００１３】
また、一実施例において、前記駆動部材は、前記ベース部材の一側に取り付けられ、電源を受けて前記回転棒部材を回転させるためのモーターと、前記モーターの外部を取り囲むように取り付けられ、前記モーターを外部から保護するためのモーターカバーと、を含むことを特徴とする。
【００１４】
また、一実施例において、前記指圧部材は、前記回転棒部材の他側に取り付けられ、前記駆動部材の駆動によって前記回転棒部材に沿って走行するための走行ナットを備える走行手段と、一側が前記走行手段に取り付けられるローラー支持部と、前記走行手段と前記ローラー支持部に結合され、前記走行手段に対して前記ローラー支持部を回動させるための回動手段と、前記ローラー支持部の両側に取り付けられ、前記レール部材の上面に沿って走行するための走行ローラーと、前記ローラー支持部の他側に取り付けられ、前記走行手段の走行によって脊椎を指圧するための指圧ローラーと、を含むことを特徴とする。
【００１５】
また、一実施例において、前記指圧部材は、前記走行手段の内部に取り付けられ、前記指圧部材が走行するときに前記指圧ローラーが左右方向に傾くことを防止するための少なくとも一つの水平ベアリングと、前記水平ベアリングの側部に取り付けられ、前記指圧部材が走行するときに一緒に走行するための少なくとも一つの垂直ベアリングと、をさらに含むことを特徴とする。
【００１６】
また、一実施例において、前記走行ローラーは、外周面にライン溝が形成され、前記ライン溝がレール部材に沿って走行し、前記ローラー支持部が回動するときに前記ローラー支持部の両側をもっと支持することを特徴とする。
【００１７】
また、一実施例において、前記制御部は、前記指圧部材の走行可否及び前記発熱板部の発熱温度及び時間を制御することを特徴とする。
【００１８】
また、一実施例において、前記レール部材は、人体の曲線形態に対応するように形成されることを特徴とする。
【発明の効果】
【００１９】
本発明の一実施例によれば、温熱マットの内部に脊椎治療機を組み込んで温熱機能と脊椎治療機能を同時に具現することができる脊椎治療機が内蔵された温熱マットを提供することにより、脊椎治療機の指圧ローラーが脊椎に沿って走行しながら脊椎を指圧して一字形首、頸椎椎間板ヘルニア、腰椎椎間板ヘルニアなどの脊椎疾患及び痛症をより効果的に予防又は治療することができる効果を有する。
【００２０】
また、本発明の一実施例によれば、温熱マットの内部に脊椎治療機を組み込むことにより、使用者が脊椎を治療するために温熱マット及び脊椎治療機をそれぞれ購買しなければならない煩わしさを減らすことができ、家庭でより便利で容易にかつ効果的に脊椎を治療することができる特徴がある。
【００２１】
また、ひんぱんな疲労と慢性疲労を感じる元気な人や老弱者、又は首痛症、肩凝り、腰痛、座骨神経痛、脊椎側弯症、頸椎椎間板ヘルニア、腰椎椎間板ヘルニアなどの脊椎疾患による健康上の障害と苦痛を経験している人の場合、家庭でより層便利で容易にかつ効果的に脊椎を治療することができる特徴がある。
【００２２】
ただ、本発明で得られる効果は以上で言及した効果に制限されず、言及しなかった他の効果は下記の記載から本発明が属する技術分野で通常の知識を有する者に明らかに理解可能であろう。
【００２３】
本明細書に添付する図面は本発明の好適な実施例を例示するもので、後述する発明の詳細な説明とともに本発明の技術思想をより理解させる役目をするものであるので、本発明はその図面に記載した事項にだけ限って解釈されてはいけない。
【図面の簡単な説明】
【００２４】
【図１】本発明の実施例による脊椎治療機が内蔵された温熱マットを示す斜視図である。
【図２】本発明の実施例による脊椎治療機が内蔵された温熱マットを示す分解斜視図である。
【図３】図２に示した脊椎治療機モジュール部を示す斜視図である。
【図４】図２に示した脊椎治療機モジュール部を示す分解斜視図である。
【図５】図２に示した脊椎治療機モジュール部を示す側断面図である。
【図６】図４及び図５に示した指圧部材を示す斜視図である。
【図７】図４及び図５に示した指圧部材を示す分解斜視図である。
【図８】図４及び図５に示した指圧部材を示す断面図である。
【図９ａ】図２に示した発熱部に脊椎治療機モジュール部が装着された形態を示す斜視図である。
【図９ｂ】図２に示した発熱部で脊椎治療機モジュール部が走行する形態を示す斜視図である。
【図１０】図４に示した指圧部材の走行時の側断面図である。
【発明を実施するための形態】
【００２５】
以下では添付図面を参照して本発明の実施例について本発明が属する技術分野で通常の知識を有する者が容易に実施することができるように詳細に説明する。しかし、本発明についての説明は構造的又は機能的説明のための実施例に過ぎないので、本発明の権利範囲は本文に説明した実施例によって制限されるものと解釈されてはいけない。すなわち、実施例は多様な変更が可能であり、さまざまな形態を有することができるので、本発明の権利範囲は技術的思想を実現することができる均等物を含むものと理解されなければならない。また、本発明で提示した目的又は効果は特定の実施例がこれを全部含まなければならないかそのような効果のみを含まなければならないという意味ではないので、本発明の権利範囲はこれによって制限されるものと理解されてはいけないであろう。
【００２６】
本発明で敍述される用語の意味は次のように理解されなければならないであろう。
【００２７】
“第１”、“第２”などの用語は一構成要素を他の構成要素と区別するためのものであり、これらの用語によって権利範囲が限定されてはいけない。例えば、第１構成要素は第２構成要素と名付けることができ、同様に第２構成要素も第１構成要素と名付けることができる。ある構成要素が他の構成要素に“連結されている”と言及されたときには、その他の構成要素に直接的に連結されることもできるが、中間に他の構成要素が存在することもあると理解されなければならないであろう。一方、ある構成要素が他の構成要素に“直接連結されている”と言及されたときには、中間に他の構成要素が存在しないものと理解されなければならないであろう。一方、構成要素間の関係を説明する他の表現、すなわち“〜間に”と“すぐ〜間に”又は“〜に隣り合う”と“〜に直接隣り合う”なども同様に解釈されなければならない。
【００２８】
単数の表現は、文脈上はっきり他に指示しない限り、複数の表現を含むものと理解されなければならなく、“含む”又は“有する”などの用語は記述された特徴、数字、段階、動作、構成要素、部分品又はこれらを組み合わせたものが存在することを指定しようとするものであり、一つ又はそれ以上の他の特徴、数字、段階、動作、構成要素、部分品又はこれらを組み合わせたものなどの存在又は付加の可能性を予め排除しないものと理解されなければならない。
【００２９】
ここで使われる全ての用語は、他に定義しない限り、本発明が属する分野で通常の知識を有する者によって一般的に理解されるものと同じ意味を有する。一般的に使われる辞書に定義されている用語は関連技術の文脈上で有する意味と一致するものと解釈されなければならなく、本発明で明らかに定義しない限り、理想的な又は過度に形式的な意味を有するものと解釈されてはいけない。
【００３０】
以下、添付図面に基づいて好適な実施例の構成を詳細に説明する。
【００３１】
＜本発明の一実施例による構成及び機能＞
【００３２】
図１は本発明の実施例による脊椎治療機が内蔵された温熱マットを示す斜視図、図２は本発明の実施例による脊椎治療機が内蔵された温熱マットを示す分解斜視図、図９ａは図２に示した発熱部に脊椎治療機モジュール部が装着された形態を示す斜視図、図９ｂは図２に示した発熱部で脊椎治療機モジュール部が走行する形態を示す斜視図である。
【００３３】
ただ、図２に示した構成要素は必須のものではなく、それより多くの構成要素を有するかそれより少ない構成要素を有する脊椎治療機が内蔵された温熱マット１０が具現されることができる。図１及び図２を参照すると、脊椎治療機が内蔵された温熱マット１０は、脊椎治療機モジュール部１００、マット部２００、発熱板部３００、カバー部４００及び制御部（説明の便宜上図面には示さない）を含む。
【００３４】
脊椎治療機モジュール部１００は、人の脊椎の長手方向に沿ってローラーが走行しながら脊椎を指圧する。脊椎治療機モジュール部１００は、指圧部材１４０がマット部２００上に突出し、走行レールに沿って人体の脊椎部位を指圧しながら人の脊椎を治療することができる。脊椎治療機モジュール部１００はマット部２００の一端に含まれ、走行操作時、脊椎治療機モジュール部１００の指圧部材１４０はマット部２００の切開ホール２０１から突出したままで走行することができる（図９ｂ参照）。また、停止操作時、脊椎治療機モジュール部１００の指圧部材１４０は走行レールを離脱し、マット部２００の切開ホール２０１の末端に形成された貫通孔２０２に位置する（図９ａ参照）。
【００３５】
マット部２００は脊椎治療機モジュール部１００の上部に設けられ、一側に切開ホール２０１が長手方向に形成され、切開ホール２０１の一側に貫通孔２０２を備えている。マット部２００は脊椎治療機モジュール部１００の一側面に位置し、脊椎治療機モジュール部１００の指圧部材１４０（図４参照）が貫通して突出する切開ホール２０１が中央部に長手方向に形成され、指圧部材１４０を使わない場合に収容される貫通孔２０２が切開ホール２０１の末端に連結されて形成されることができる。発熱板部３００はマット部２００の上部に設けられ、電源の供給によって発熱する。発熱板部３００は少なくとも一本の熱線を備えて、マット部２００の一部又は全部に温熱を提供することができる。
【００３６】
発熱板部３００は温熱発生の機能を有する少なくとも一本の熱線を備え、一側はマット部２００と結合され、他側は複数のセラミック部を備えたカバー部４００で外側から覆われることができる。また、発熱板部３００の少なくとも一本の熱線は、脊椎治療機モジュール部１００（すなわち、指圧部材１４０）が走行することができるように、指圧部材１４０の駆動位置から所定距離だけ離隔して形成されている。発熱板部３００は、マット部２００の切開ホール２０１及び貫通孔２０２が形成された位置と対応する位置にホールが形成されることにより、指圧部材１４０が貫通して走行することができる。
【００３７】
カバー部４００は発熱板部３００の上部に設けられ、脊椎治療機モジュール部１００、マット部２００及び発熱板部３００の外部を覆う。カバー部４００は一側に複数のセラミック部（好ましくは、バイオセラミック部）を備え、外部からマット部２００及び発熱板部３００を密封することができる。ここで、カバー部４００の一側には、温熱のための要素として、玉、セラミック部、滑石、麦飯石などを含むことができる。
【００３８】
制御部は脊椎治療機モジュール部１００を制御する。制御部は指圧部材１４０の走行可否及び発熱板部３００の発熱温度及び時間を制御することができる。言い替えれば、制御部は外部に備えられた電源供給部（説明の便宜上、図面には示さない）から電流を受けて発熱板部３００の発熱温度及び発熱時間を制御することができ、脊椎治療機モジュール部１００の指圧部材１４０の走行可否を制御することができる。制御部は指圧部材１４０の走行可否だけでなく、指圧部材１４０の走行回数又は走行時間も制御することができる。ここで、制御部はローラー支持部１４２（図８参照）の回動角度を制御することもできる。
【００３９】
上述したような構成を有する脊椎治療機が内蔵された温熱マット１０は、マット部２００及び発熱板部３００の内部に脊椎治療機モジュール部１００を組み込んで温熱機能と脊椎治療機能（マッサージ機能）を同時に具現することにより、脊椎治療機モジュール部１００の指圧部材１４０が脊椎に沿って走行しながら脊椎を指圧して、一字形首、頸椎椎間板ヘルニア、腰椎椎間板ヘルニアなどの脊椎疾患及び痛症をより効果的に予防及び治療することができる。
【００４０】
また、脊椎治療機が内蔵された温熱マット１０は、マット部２００及び発熱板部３００の内部に脊椎治療機モジュール部１００を組み込むことにより、使用者が脊椎を治療するために温熱マット及び脊椎治療機をそれぞれ購買しなければならない煩わしさを減らすことができ、家庭で一層便利で容易にかつ効果的に治療することができる。
【００４１】
また、脊椎治療機が内蔵された温熱マット１０は、ひんぱんな疲労と慢性疲労を感じる元気な人や老弱者、又は首痛症、肩凝り、腰痛、座骨神経痛、脊椎側弯症、頸椎椎間板ヘルニア、腰椎椎間板ヘルニアなどの脊椎疾患による健康上障害と苦痛を経験している人の場合、家庭で一層便利で容易にかつ効果的に治療することができる。
【００４２】
図３は図２に示した脊椎治療機モジュール部を示す斜視図、図４は図２に示した脊椎治療機モジュール部を示す分解斜視図、図５は図２に示した脊椎治療機モジュール部を示す側断面図である。図３〜図５を参照すると、脊椎治療機モジュール部１００は、ベース部材１１０、駆動部材１２０、回転棒部材１３０、指圧部材１４０、及び二つのレール部材１５０を含む。
【００４３】
ベース部材１１０は、一面に駆動部材１２０、指圧部材１４０及びレール部材１５０が取り付けられる。
【００４４】
駆動部材１２０はベース部材１１０に取り付けられ、電源供給部から電源を受けて駆動する。駆動部材１２０は、モーター１２１及びモーターカバー１２２を含むことができる。
【００４５】
モーター１２１はベース部材１１０の一側に取り付けられ、電源を受けて回転棒部材１３０を回転させる。モーター１２１は駆動して回転棒部材１３０を正逆回転させることができ、一側にモーター１２１の速度を調節する減速機が連結設置されることができる。モーター１２１は回転力を発生させ、モーター１２１で発生する回転力の速度を調節する減速機を介して連結される回転棒部材１３０が軸を中心に回転することができる。
【００４６】
モーターカバー１２２はモーター１２１の外部を取り囲むように取り付けられ、モーター１２１を外部から保護する。
【００４７】
回転棒部材１３０は一側が駆動部材１２０に取り付けられ、駆動部の駆動によって回転する。回転棒部材１３０は好ましくはリードスクリューであり、外周面にネジ部に形成され、指圧部材１４０の走行手段１４１に備えられた走行ナット１４１１が他側に取り付けられる。よって、モーター１２１が駆動すれば、回転棒部材が回転して走行ナット１４１１（図７参照）を回転棒部材１３０の軸線方向に回転棒部材１３０に平行に走行させることができる。回転棒部材１３０は一側にカップリング、ベアリング支持部及びリードスクリューベアリングを介してモーター１２１に取り付けられることができ、他側に走行ナット１４１１、ベアリング支持部及びリードスクリューベアリングが取り付けられ、モーター１２１の駆動によって回転することができる。ここで、ベアリング支持部はベース部材１１０に取り付けられ、回転棒部材１３０が回転するときに外部に離脱することを防止することができる。
【００４８】
指圧部材１４０は回転棒部材１３０の他側に結合され、回転棒部材１３０に沿って走行しながら脊椎を指圧する。指圧部材１４０は回転棒部材１３０の他側に取り付けられた走行ナット１４１１の走行によって回転棒部材１３０の軸線方向に走行することができる。
【００４９】
レール部材１５０は回転棒部材１３０の両側にそれぞれ取り付けられ、指圧部材１４０が走行するときに指圧部材１４０の両側を支持する。レール部材１５０は指圧部材１４０が回転棒部材１３０を離脱しないように指圧部材１４０の両側をガイドすることができる。
【００５０】
脊椎治療機モジュール部１００はリミットスイッチ部材１６０をさらに含むことができる。
【００５１】
リミットスイッチ部材１６０はベース部材１１０の一面に取り付けられ、走行手段１４１の走行をチェックする。
【００５２】
図６は図４及び図５に示した指圧部材を示す斜視図、図７は図４及び図５に示した指圧部材を示す分解斜視図、図８は図４及び図５に示した指圧部材を示す断面図である。図６〜図８を参照すると、指圧部材１４０は、走行手段１４１、ローラー支持部１４２、回動手段１４３、走行ローラー１４４、指圧ローラー１４５、少なくとも一つの水平ベアリング１４６及び少なくとも一つの垂直ベアリング１４７を含む。
【００５３】
走行手段１４１は回転棒部材１３０の他側に取り付けられ、駆動部材１２０の駆動によって回転棒部材１３０に沿って走行するための走行ナット１４１１を備える。走行手段１４１はローラー支持部１４２の所定の位置に走行ローラー１４４を備えてレール部材１５０の上側面に沿って移動することができる。ここで、水平ベアリング１４６と垂直ベアリング１４７が回転棒部材１３０の外周面に沿って一緒に走行することによって走行手段１４１が走行することができる。
【００５４】
走行ナット１４１１は好ましくはリードスクリューに取り付けられるリードスクリューナットであり、走行手段１４１の内部に備えられるとともに回転棒部材１３０の他側に螺合され、回転棒部材１３０が回転することにより、走行手段１４１が回転棒部材１３０に沿って走行するようにすることができる。
【００５５】
ローラー支持部１４２は一側が走行手段１４１に取り付けられ、他側に指圧ローラー１４５が取り付けられる。ローラー支持部１４２は他側にローラー軸を備え、ローラー軸の両側に指圧ローラー１４５が取り付けられることができる。ローラー支持部１４２は制御部の制御によって回動角度が制御されることができ、このように制御された回動角度で回動して、指圧ローラー１４５が人体（好ましくは脊椎）を指圧する強度を調節することができる。
【００５６】
回動手段１４３は走行手段１４１とローラー支持部１４２に結合され、走行手段１４１に対してローラー支持部１４２が回動することができるようにする。
【００５７】
回転棒部材１３０の軸線方向を基準に回転棒部材１３０と指圧ローラー１４５が垂直以下の角度（すなわち、９０度以下の角度）を成すように回動手段１４３が回動してローラー支持部１４２を回動させることにより、指圧ローラー１４５が脊椎を圧迫する強度を調節することができる。例えば、回転棒部材１３０の軸線方向を基準に回転棒部材１３０と指圧ローラー１４５が垂直（好ましくは約９０度）を成すように回動手段１４３が回動してローラー支持部１４２を回動させれば、指圧ローラー１４５は脊椎をもっと圧迫して指圧することができる。
【００５８】
走行ローラー１４４はローラー支持部１４２の両側に取り付けられ、レール部材１５０の上面に沿って走行する。走行ローラー１４４は外周面にライン溝１４４１が形成され、ライン溝１４４１がレール部材１５０に沿って走行し、ローラー支持部１４２が回動するときにローラー支持部１４２の両側をもっと支持することができる。言い替えれば、走行ローラー１４４は外周面の中央部にライン溝１４４１が形成され、ライン溝１４４１がレール部材１５０の上面と接触したままでレール部材１５０に沿って走行することができる。
【００５９】
指圧ローラー１４５はローラー支持部１４２の他側に取り付けられ、走行手段１４１の走行によって脊椎を指圧する。
【００６０】
水平ベアリング１４６は走行手段１４１の内部に取り付けられ、指圧部材１４０が走行するとき、指圧ローラー１４５が左右方向に傾くことを防止する。水平ベアリング１４６は、走行手段１４１の内部に中央部を基準に走行手段１４１の内部両側にそれぞれ少なくとも一つ（好ましくは二つ）ずつ設けられることができる。水平ベアリング１４６は好ましくはレール部材１５０に沿って走行する走行手段１４１を中心に上下方向に加わる力を支えながら転がることができる。
【００６１】
垂直ベアリング１４７は好ましくは水平ベアリング１４６の間に位置するように走行手段１４１の内部に取り付けられ、走行手段１４１がレール部材１５０に沿って走行するとき、指圧ローラー１４５が左右方向に傾く現象が発生することを防止することができる。
【００６２】
水平ベアリング１４６と垂直ベアリング１４７はそれぞれ水平ベアリングキャップと垂直ベアリングキャップを備え、レール部材１５０内で水平ベアリング１４６と垂直ベアリング１４７が走行することによって発生し得る摩擦騷音を防止することができる。ここで、水平ベアリングキャップと垂直ベアリングキャップは合成樹脂系素材からなり、走行時に発生する摩擦騷音を最少化することができる。
【００６３】
図１０は図４に示した指圧部材の走行時の側断面図である。図１０に示したように、レール部材１５０は走行ローラー１４４が走行（すなわち、接触）する部分が人体の曲線に対応する形態に形成されることにより、走行ローラー１４４の走行によって指圧ローラー１４５が人体の曲線に沿って走行しながら人体を指圧することができる。
【００６４】
＜本発明の一実施例による作動過程＞
【００６５】
図３に示した脊椎治療機モジュール部の作動を説明する。
【００６６】
まず、脊椎治療機モジュール部１００は制御部によって電源供給部から電源を受けて駆動部材１２０のモーター１２１を駆動し、モーター１２１は回転棒部材１３０を回転させる。
【００６７】
モーター１２１で発生する回転力が減速機を通過することによって回転速度が調節され、これによって回転棒部材１３０が正逆回転することにより、回転棒部材１３０の回転棒部材１３０の他側に螺合された走行ナット１４１１が直線移動することになる。ここで、走行ナット１４１１が移動することによって指圧部材１４０が同時に移動し、指圧部材１４０の移動によってレール部材１５０の上側面に沿って走行ローラー１４４が走行する。
【００６８】
走行ローラー１４４の走行によって指圧ローラー１４５が人体の曲線に沿って走行しながら人体を指圧するようになる。
【００６９】
以上で開示した本発明の好適な実施例についての詳細な説明は当業者が本発明を具現して実施することができるように提供した。以上では本発明の好適な実施例に基づいて説明したが、当該技術分野の熟練した当業者であれば本発明の領域から逸脱しない範疇内で本発明を多様に修正及び変更することができることが理解可能であろう。例えば、当業者は上述した実施例に開示した各構成を互いに組み合わせる方式で用いることができる。したがって、本発明はここで開示した実施形態に制限されるものではなく、ここで開示した原理及び新規の特徴と一致する最広の範囲を付与しようとするものである。
【００７０】
本発明は本発明の精神及び必須の特徴を逸脱しない範疇内で他の特定形態に具体化することができる。したがって、前記詳細な説明は全ての面で制限的に解釈されてはいけなく、例示的なものと見なされなければならない。本発明の範囲は添付の請求範囲の合理的解釈によって決定されなければならなく、本発明の等価的範囲内での全ての変更は本発明の範囲に含まれる。本発明はここで開示した実施形態に制限されるものではなく、ここで開示した原理及び新規の特徴と一致する最広の範囲を付与しようとするものである。また、請求範囲で明示的な引用関係がない請求項を組み合わせて実施例を構成するとか出願後の補正によって新しい請求項を含むことができる。
【符号の説明】
【００７１】
１０    脊椎治療機が内蔵された温熱マット
１００    脊椎治療機モジュール部
１１０    ベース部材
１２０    駆動部材
１２１    モーター
１２２    モーターカバー
１３０    回転棒部材
１４０    指圧部材
１４１    走行手段
１４１１    走行ナット
１４２    ローラー支持部
１４３    回動手段
１４４    走行ローラー
１４４１    ライン溝
１４５    指圧ローラー
１４６    水平ベアリング
１４７    垂直ベアリング
１５０    レール部材
１６０    リミットスイッチ部材
２００    マット部
２０１    切開ホール
２０２    貫通孔
３００    発熱板部
４００    カバー部
【図１】
2020116250.tif 000003
【図２】
2020116250.tif 000004
【図３】
2020116250.tif 000005
【図４】
2020116250.tif 000006
【図５】
2020116250.tif 000007
【図６】
2020116250.tif 000008
【図７】
2020116250.tif 000009
【図８】
2020116250.tif 000010
【図９ａ】
2020116250.tif 000011
【図９ｂ】
2020116250.tif 000012
【図１０】
2020116250.tif 000013